(57)【特許請求の範囲】
【請求項１】
被写体を撮影するための光学系と、
前記光学系の光軸に略垂直な前面、及び前記前面に隣接する第１側面及び第２側面を有する筐体と、
前記光学系が取り付けられており、前記第１側面から前記光学系を前記筐体に収容すること及び引き出すことができる引き出し部と、
前記第１側面より前記第２側面に近い位置に設けられたレリーズスイッチと、
前記第２側面に設けられたタッチセンサと、
前記タッチセンサおよび前記レリーズスイッチの出力信号を読み込むことにより、撮影者が前記タッチセンサに触れながら前記レリーズスイッチを押下していることを確認した場合に、前記引き出し部を前記筐体から外部へ引き出させる制御部と
を備えることを特徴とする撮像装置。
【請求項２】
前記引き出し部は、前記筐体から引き出された状態において、引き出された方向に平行な軸回りに回転できる
ことを特徴とする請求項１に記載の撮像装置。
【請求項３】
前記引き出し部には、ファインダがさらに取り付けられている
ことを特徴とする請求項１又は請求項２に記載の撮像装置。
【請求項４】
前記引き出し部には、ストロボがさらに取り付けられている
ことを特徴とする請求項１乃至請求項３のいずれかに記載の撮像装置。
【請求項５】
前記引き出し部には、測光センサがさらに取り付けられている
ことを特徴とする請求項４に記載の撮像装置。
【発明の詳細な説明】
【０００１】
【発明の属する技術分野】
本発明は、被写体を撮影するための光学系を筐体の内部に収納できる撮像装置に関する。
【０００２】
【従来の技術】
従来、被写体を撮影するための光学系を筐体の内部に収納できる撮像装置として、いわゆる沈胴式のレンズ鏡胴を備えた撮影装置が知られている。このような撮影装置では、筐体の前面からレンズ鏡胴を外部へ突出させたり、筐体内部へ収納させたりすることが可能であった。
【０００３】
【発明が解決しようとする課題】
しかし、従来の撮像装置では、筐体の前面に沈胴レンズ鏡胴を取り付け、かつ、動作させるための開口を設けなければならない。このような開口には、筐体の前面の強度を低下させるという問題があった。
そこで本発明は、上記の課題を解決することのできる撮像装置を提供することを目的とする。この目的は特許請求の範囲における独立項に記載の特徴の組み合わせにより達成される。また従属項は本発明の更なる有利な具体例を規定する。
【０００４】
【課題を解決するための手段】
即ち、本発明の第１の形態によると、被写体を撮影するための光学系と、前記光学系の光軸に略垂直な前面、及び前記前面に隣接する第１側面及び第２側面を有する筐体と、前記光学系が取り付けられており、前記第１側面から前記光学系を前記筐体に収容すること及び引き出すことができる引き出し部と、前記第１側面より前記第２側面に近い位置に設けられたレリーズスイッチと、前記第２側面に設けられたタッチセンサと、前記タッチセンサおよび前記レリーズスイッチの出力信号を読み込むことにより、撮影者が前記タッチセンサに触れながら前記レリーズスイッチを押下していることを確認した場合に、前記引き出し部を前記筐体から外部へ引き出させる制御部とを備える撮像装置が提供される。
【０００５】
この撮像装置において、引き出し部は、筐体から引き出された状態において、引き出された方向に平行な軸回りに回転できることが好ましい。また、引き出し部には、ファインダがさらに取り付けられていることが好ましい。さらに、引き出し部には、ストロボがさらに取り付けられていることが好ましい。さらにまた、引き出し部には、測光センサがさらに取り付けられていることが好ましい。
【０００６】
なお上記の発明の概要は、本発明の必要な特徴の全てを列挙したものではなく、これらの特徴群のサブコンビネーションも又発明となりうる。
【０００７】
【発明の実施の形態】
以下、発明の実施の形態を通じて本発明を説明するが、以下の実施形態はクレームにかかる発明を限定するものではなく、又実施形態の中で説明されている特徴の組み合わせの全てが発明の解決手段に必須であるとは限らない。
図１に、本発明に係る撮像装置の一実施形態であるデジタルカメラ１０の外観を示す。図１（ａ）は、デジタルカメラの上面、（ｂ）は前面、また、（ｃ）は側面を示している。
【０００８】
デジタルカメラ１０の筐体１５０は、後述する光学系２２の光軸に垂直な面であり、撮影時に被写体側に位置する前面１５２と、その前面に対向する背面１６０とを有する。また、筐体１５０は、前面１５２に隣接する上面１５４、底面１５８、及び２つの側面１５６、１５８を備える。前面１５２は、縦長い形状を有している。側面１５６及び１５８は、前面１５２の長手方向の端部において前面１５２に隣接している。
【０００９】
筐体の前面１５２は、板状の部材から形成されている。前面１５２には、例えば光学系を筐体内部から被写体側へ突出させるための開口が形成されていない。このために、筐体１５２の前面は、外力に対する高い強度を有する。
筐体の背面１６０には、デジタルカメラ１０の機能を設定するための機能設定部１１６と、撮影された画像等を表示するためのＬＣＤモニタ１０２が備えられている。
【００１０】
また、筐体の上面１５４には、デジタルカメラ１０の主電源のオン／オフを操作するためのパワースイッチ１１２と、シャッターを作動させるための押しボタンであるレリーズスイッチ１１４とが備えられている。
筐体１５０が有する２つの側面１５６、１５８のうち、レリーズスイッチ１１４により近い位置にある側面１５６には、タッチセンサ１３２が備えられている。このタッチセンサ１３２は、撮影者の手が触れているか否かを検出する。
【００１１】
デジタルカメラ１０は、さらに、引き出し部１３８を備えている。引き出し部１３８は、タッチセンサ１３２が備えられているのと反対側の側面１５８から筐体１５０の外へ引き出されること、及び、筐体１５０の中に収容されることができる。引き出し部１３８が筐体１５０の中に収容されているとき、引き出し部１３８の外側の面１４４は、筐体１５０の側面１５８の一部を構成する。なお、図１には、引き出し部１３８が筐体１５０から引き出されている状態のデジタルカメラ１０が示されている。
【００１２】
引き出し部１３８には、被写体を撮影するための光学系２２と、ファインダ３４が備えられている。また、引き出し部１３８には、ストロボ３６と測光センサ５４が備えられている。さらに、引き出し部１３８には、セルフタイマー・モードで撮影を行うときに点滅するＬＥＤ３８が備えられている。
【００１３】
引き出し部１３８が筐体１５０の中に収容されている場合、引き出し部１３８に備えられている光学系２２、ファインダ３４、ストロボ３６、測光センサ５４、及びＬＥＤ３８（以下、「光学系等」という）は、全て筐体の前面１５２の背後に位置し、外部から隠蔽される。前述したように、本実施形態では、筐体の前面１５２に光学系２２等を配置するための開口を設けていない。このため、前面１５２は、その様な開口が設けられている場合よりも強度が大きく、より大きな外力から光学系等を保護できる。
【００１４】
一方、引き出し部１３８が筐体１５０から外へ引き出されているとき、光学系等は、筐体１５０の外部に位置し、その光学系等を用いての撮影が可能となる。本実施形態では、前述したようにファインダ３４および光学系２２を引き出し部１３８に配置したので、引き出し部１３８が移動しても、ファインダ３４と光学系２２との間に相対的な位置関係は変わらない。したがって、引き出し部１３８を移動させるための機構に遊びが存在し、筐体１５０から引き出された状態での引き出し部１３８の位置が一定しない場合でも、光学系２２を通して撮影される被写体をファインダ３４を通して正確に確認できる。同様に、引き出し部１３８には、ストロボ３６及び測光センサ５４が備えられているので、撮影時の引き出し部１３８の位置によらず、被写体に照射されるストロボ光の条件は、一定に保たれる。
【００１５】
引き出し部１３８は、２つの部位１４０及び１４２を有する。第１の部位１４０は、光学系等を備え、引き出し部１３８が筐体１５０から引き出されているときに、その全体が筐体１５０の外部に位置する。一方、第２の部位１４２は、光学系２２の光軸に垂直な方向にスライドでき、かつ、筐体１５０から外へ脱落しないように筐体１５０の内部において不図示の機構により保持されている。この第２の部位１４２は、その端部において連結部１４６を介して第１の部位を回転可能に保持している。したがって、第１の部位１４０は、引き出し部１３８が引き出される方向に平行な軸回りに回転できる（図中矢印Ａ参照）。つまり、デジタルカメラ１０では、筐体１５０を一定の姿勢に保持しつつ、引き出し部１３８の第１の部位１４０のみを回転させることで、撮影方向を変えることができる。
【００１６】
図２は、デジタルカメラ１０の構成を示すブロック図である。デジタルカメラ１０は、主に撮像ユニット２０、撮像制御ユニット４０、処理ユニット６０、表示ユニット１００、操作ユニット１１０、および引き出し部制御ユニット１３０を含む。
【００１７】
撮像ユニット２０は、撮影および結像に関する機構部材および電気部材を含む。撮像ユニット２０はまず、映像を取り込んで処理を施す光学系２２、絞り２４、シャッタ２６、光学ＬＰＦ（ローパスフィルタ）２８、ＣＣＤ３０、および撮像信号処理部３２を含む。光学系２２は、フォーカスレンズやズームレンズ等からなる。この構成により、被写体像がＣＣＤ３０の受光面上に結像する。結像した被写体像の光量に応じ、ＣＣＤ３０の各センサエレメント（図示せず）に電荷が蓄積される（以下その電荷を「蓄積電荷」という）。蓄積電荷は、リードゲートパルスによってシフトレジスタ（図示せず）に読み出され、レジスタ転送パルスによって電圧信号として順次読み出される。
【００１８】
デジタルカメラ１０は一般に電子シャッタ機能を有するので、シャッタ２６のような機械式シャッタは必須ではない。電子シャッタ機能を実現するために、ＣＣＤ３０にシャッタゲートを介してシャッタドレインが設けられる。シャッタゲートを駆動すると蓄積電荷がシャッタドレインに掃き出される。シャッタゲートの制御により、各センサエレメントに電荷を蓄積するための時間、すなわちシャッタスピードが制御できる。
【００１９】
ＣＣＤ３０から出力される電圧信号、すなわちアナログ信号は撮像信号処理部３２でＲ、Ｇ、Ｂ成分に色分解され、まずホワイトバランスが調整される。つづいて撮像信号処理部３２はガンマ補正を行い、必要なタイミングでＲ、Ｇ、Ｂ信号を順次Ａ／Ｄ変換し、その結果得られたデジタルの画像データ（以下単に「デジタル画像データ」とよぶ）を処理ユニット６０へ出力する。
【００２０】
撮像ユニット２０はさらに、ファインダ３４、ストロボ３６、及びＬＥＤ３８を有する。ファインダ３４には図示しないＬＣＤを内装してもよく、その場合、後述のメインＣＰＵ６２等からの各種情報をファインダ３４内に表示できる。ストロボ３６は、コンデンサ（図示せず）に蓄えられたエネルギが放電管３６ａに供給されたときそれが発光することで機能する。ＬＥＤ３８は、前述したように、セルフタイマー・モードで撮影が行われる場合に明滅する発光部の一例である。本実施形態では、デジタルカメラ１０を機能設定部１１６を用いてセルフタイマー・モードに設定し、その後にレリーズスイッチ１１４を押下すると、ＬＥＤ３８が、メインＣＰＵ６２の制御により、シャッター２６が動作するまで明滅する。
【００２１】
撮像制御ユニット４０は、ズーム駆動部４２、フォーカス駆動部４４、絞り駆動部４６、シャッタ駆動部４８、それらを制御する撮像系ＣＰＵ５０、測距センサ５２、および測光センサ５４をもつ。ズーム駆動部４２などの駆動部は、それぞれステッピングモータ等の駆動手段を有する。後述のレリーズスイッチ１１４の押下に応じ、測距センサ５２は被写体までの距離を測定し、測光センサ５４は被写体輝度を測定する。測定された距離のデータ（以下単に「測距データ」という）および被写体輝度のデータ（以下単に「測光データ」という）は撮像系ＣＰＵ５０へ送られる。撮像系ＣＰＵ５０は、ユーザから指示されたズーム倍率等の撮影情報に基づき、ズーム駆動部４２とフォーカス駆動部４４を制御して光学系２２のズーム倍率とピントの調整を行う。
【００２２】
撮像系ＣＰＵ５０は、１画像フレームのＲＧＢのデジタル信号積算値、すなわちＡＥ情報に基づいて絞り値とシャッタスピードを決定する。決定された値にしたがい、絞り駆動部４６とシャッタ駆動部４８がそれぞれ絞り量の調整とシャッタ２６の開閉を行う。
【００２３】
撮像系ＣＰＵ５０はまた、測光データに基づいてストロボ３６の発光を制御し、同時に絞り２４の絞り量を調整する。ユーザが映像の取込を指示したとき、ＣＣＤ３０が電荷蓄積を開始し、測光データから計算されたシャッタ時間の経過後、蓄積電荷が撮像信号処理部３２へ出力される。
【００２４】
処理ユニット６０は、デジタルカメラ１０全体、とくに処理ユニット６０自身を制御するメインＣＰＵ６２と、これによって制御されるメモリ制御部６４、ＹＣ処理部７０、オプション装置制御部７４、圧縮伸張処理部７８、通信Ｉ／Ｆ部８０を有する。メインＣＰＵ６２は、シリアル通信などにより、撮像系ＣＰＵ５０との間で必要な情報をやりとりする。メインＣＰＵ６２の動作クロックは、クロック発生器８８から与えられる。クロック発生器８８は、撮像系ＣＰＵ５０、表示ユニット１００に対してもそれぞれ異なる周波数のクロックを提供する。
【００２５】
メインＣＰＵ６２には、キャラクタ生成部８４とタイマ８６が併設されている。タイマ８６は電池でバックアップされ、つねに日時をカウントしている。このカウント値から撮影日時に関する情報、その他の時刻情報がメインＣＰＵ６２に与えられる。キャラクタ生成部８４は、撮影日時、タイトル等の文字情報を発生し、この文字情報が適宜撮影画像に合成される。
【００２６】
メモリ制御部６４は、不揮発性メモリ６６とメインメモリ６８を制御する。不揮発性メモリ６６は、ＥＥＰＲＯＭ（電気的消去およびプログラム可能なＲＯＭ）やＦＬＡＳＨメモリなどで構成され、ユーザーによる設定情報や出荷時の調整値など、デジタルカメラ１０の電源がオフの間も保持すべきデータが格納されている。不揮発性メモリ６６には、場合によりメインＣＰＵ６２のブートプログラムやシステムプログラムなどが格納されてもよい。一方、メインメモリ６８は一般にＤＲＡＭのように比較的安価で容量の大きなメモリで構成される。メインメモリ６８は、撮像ユニット２０から出力されたデータを格納するフレームメモリとしての機能、各種プログラムをロードするシステムメモリとしての機能、その他ワークエリアとしての機能をもつ。不揮発性メモリ６６とメインメモリ６８は、処理ユニット６０内外の各部とメインバス８２を介してデータのやりとりを行う。
【００２７】
ＹＣ処理部７０は、デジタル画像データにＹＣ変換を施し、輝度信号Ｙと色差（クロマ）信号Ｂ−Ｙ、Ｒ−Ｙを生成する。輝度信号と色差信号はメモリ制御部６４によってメインメモリ６８に一旦格納される。圧縮伸張処理部７８はメインメモリ６８から順次輝度信号と色差信号を読み出して圧縮する。こうして圧縮されたデータ（以下単に「圧縮データ」という）は、オプション装置制御部７４を介してオプション装置７６の一種であるメモリカードへ書き込まれる。
【００２８】
処理ユニット６０はさらにエンコーダ７２をもつ。エンコーダ７２は輝度信号と色差信号を入力し、これらをビデオ信号（ＮＴＳＣやＰＡＬ信号）に変換してビデオ出力端子９０から出力する。オプション装置７６に記録されたデータからビデオ信号を生成する場合、そのデータはまずオプション装置制御部７４を介して圧縮伸張処理部７８へ与えられる。つづいて、圧縮伸張処理部７８で必要な伸張処理が施されたデータはエンコーダ７２によってビデオ信号へ変換される。
【００２９】
オプション装置制御部７４は、オプション装置７６に認められる信号仕様およびメインバス８２のバス仕様にしたがい、メインバス８２とオプション装置７６の間で必要な信号の生成、論理変換、または電圧変換などを行う。デジタルカメラ１０は、オプション装置７６として前述のメモリカードのほかに、例えばＰＣＭＣＩＡ準拠の標準的なＩ／Ｏカードをサポートしてもよい。その場合、オプション装置制御部７４は、ＰＣＭＣＩＡ用バス制御ＬＳＩなどで構成してもよい。
【００３０】
通信Ｉ／Ｆ部８０は、デジタルカメラ１０がサポートする通信仕様、たとえばＵＳＢ、ＲＳ−２３２Ｃ、イーサネットなどの仕様に応じたプロトコル変換等の制御を行う。通信Ｉ／Ｆ部８０は、必要に応じてドライバＩＣを含み、ネットワークを含む外部機器とコネクタ９２を介して通信する。そうした標準的な仕様のほかに、例えばプリンタ、カラオケ機、ゲーム機等の外部機器との間で独自のＩ／Ｆによるデータ授受を行う構成としてもよい。
【００３１】
表示ユニット１００は、ＬＣＤモニタ１０２とＬＣＤパネル１０４を有する。それらはＬＣＤドライバであるモニタドライバ１０６、パネルドライバ１０８によってそれぞれ制御される。ＬＣＤモニタ１０２は、例えば２インチ程度の大きさでカメラ背面に設けられ、現在の撮影や再生のモード、撮影や再生のズーム倍率、電池残量、日時、モード設定のための画面、被写体画像などを表示する。ＬＣＤパネル１０４は例えば小さな白黒ＬＣＤでカメラ上面に設けられ、画質（ＦＩＮＥ／ＮＯＲＭＡＬ／ＢＡＳＩＣなど）、ストロボ発光／発光禁止、標準撮影可能枚数、画素数、電池容量などの情報を簡易的に表示する。
【００３２】
操作ユニット１１０は、ユーザーがデジタルカメラ１０の動作やそのモードなどを設定または指示するために必要な機構および電気部材を含む。パワースイッチ１１２は、デジタルカメラ１０の電源のオンオフを決める。レリーズスイッチ１１４は、半押しと全押しの二段階押し込み構造になっている。一例として、半押しでＡＦおよびＡＥがロックし、全押しで撮影画像の取込が行われ、必要な信号処理、データ圧縮等の後、メインメモリ６８、オプション装置７６等に記録される。ズームスイッチ１１８は、ズーム倍率を決める。機能設定部１１６は、回転式のモードダイヤルや十字キーなど、デジタルカメラ１０の動作または機能を設定するためにユーザが操作できる操作部である。機能設定部１１６により指定できる動作または機能には、「ファイルフォーマット」、「特殊効果」、「印画」、「決定／保存」、「表示切換」、「セルタイマー撮影」等がある。機能設定部１１６によりセルフタイマー撮影を選択すると、前述したセルフタイマー・モードによる撮影が可能となる。
【００３３】
引き出し部制御ユニット１３０は、図１で説明した引き出し部１３８の動作を制御するための機構部材及び電気部材を含む。引き出し部制御ユニット１３０は、タッチセンサ１３２、引き出し駆動部１３４、及び引き出し制御部１３６を含む。
タッチセンサ１３２は、前述したように、筐体１５０の側面１５６に備えられており、撮影者の手が触れているか否かを検出する。タッチセンサ１３２は、撮影者の手が触れたことを検出すると、その旨の信号をメインＣＰＵ６２へ出力する。
【００３４】
引き出し駆動部１３４は、筐体１５０に収納されている引き出し部１３８を光学系２２の光軸に垂直な方向へ駆動することにより、引き出し部１３８を筐体１５０の外部へ引き出す機構及び動力源からなる駆動機構である。引き出し駆動部１３４は、引き出し制御部１３６によってその動作を制御される。
【００３５】
引き出し制御部１３６は、ＣＰＵ６２からの制御信号に基づいて引き出し駆動部１３４の動作を制御する。また、引き出し制御部１３４は、メインＣＰＵ６２の要求に応じて、引き出し部１３８が引き出し駆動部１３６により筐体１５０の内部へ移動されているのか、筐体１５０の外部へ移動されているのかの情報をメインＣＰＵ６２に送信する。
【００３６】
図３は、デジタルカメラ１０の主な動作を示すフローチャートである。
デジタルカメラ１０では、パワースイッチ１１２がオンされると、カメラ各部に電力が供給され、動作が開始する。
電力が供給されると、メインＣＰＵ６２が機能設定部１１６の状態を読み込み、デジタルカメラ１０が撮影モードにあるか再生モードにあるかを判断する（Ｓ１０２）。
【００３７】
デジタルカメラ１０が撮影モードにある場合、メインＣＰＵ６２は、引き出し部１３８が筐体１５０の外部に出ているか否かを確認する（Ｓ１０４）。この確認は、引き出し部１３８の位置を引き出し制御部１３６に問い合わせることにより行われる。問い合わせの結果、引き出し制御部１３６が、引き出し部１３８は筐体１５０の中に収納されている旨の応答をした場合、メインＣＰＵ６２は、タッチセンサ１３２及びレリーズスイッチ１１４の出力信号を読み込むことにより、撮影者がデジタルカメラ１０のタッチセンサに触れながらレリーズスイッチ１１４を押下しているか否かを確認する（Ｓ１０６、Ｓ１０８）。本実施形態の場合、撮影者が、デジタルカメラの側面１５６を手の平で保持しながら人差し指でレリーズスイッチ１１４を押下すると、つまり、撮影時に通常行われる方法によりデジタルカメラを保持してレリーズスイッチ１１４を押下すると、上記条件が満たされる。上記条件が満たされたとき、メインＣＰＵ６２は、引き出し部１４４を筐体１５０から外部へ出すことを引き出し制御部１３６に命じる。この結果、引き出し制御部１３６は、引き出し駆動部１３４を駆動させて引き出し部１３８を筐体１５０の外部へ移動させる（以上、Ｓ１１０）。
【００３８】
このように、本実施形態では、２つの条件が満たされたときに、引き出し部１３８が筐体１５０から引き出される。タッチセンサ１３２に手が触れることのみ、又は、レリーズスイッチ１１４が押下されたのみでは、引き出し部１３８が引き出されることはない。本実施形態では、これにより、誤操作により、引き出し部１３８が筐体１５０から外部へ飛び出すことを防止している。また、上記２つの条件は、撮影者が通常の方法によりデジタルカメラ１０を保持し、レリーズスイッチ１１４を押下することで容易に満たされる。したがって、引き出し部１３８を筐体１５０の外へ引き出し、撮影を開始するのに、撮影者は特別に煩雑な操作をする必要がない。
【００３９】
Ｓ１１０の終了後、又は、Ｓ１０４において、引き出し部１３８が筐体１５０の外部に出ている旨の応答をメインＣＰＵ６２が引き出し制御部１３６から受けた場合、デジタルカメラ１０では、撮影モードの処理が行われる（Ｓ１１２）。すなわち、メインＣＰＵ６２はレリーズスイッチ１１４の半押し状態を監視する。半押し状態が検出されたとき、メインＣＰＵ６２は測光センサ５４および測距センサ５２からそれぞれ測光データと測距データを得る。得られたデータに基づいて撮像制御ユニット４０が動作し、光学系２２のピント、絞りなどの調整が行われる。調整が完了すると、ＬＣＤモニタ１０２に「スタンバイ」などの文字を表示してユーザーにその旨を伝え、つづいてレリーズスイッチ１１４の全押し状態を監視する。レリーズスイッチ１１４が全押しされると、所定のシャッタ時間をおいてシャッタ２６が閉じられ、ＣＣＤ３０の蓄積電荷が撮像信号処理部３２へ掃き出される。撮像信号処理部３２による処理の結果生成されたデジタル画像データはメインバス８２へ出力される。デジタル画像データは一旦メインメモリ６８へ格納され、この後ＹＣ処理部７０と圧縮伸張処理部７８で処理を受け、オプション装置制御部７４を経由してオプション装置７６へ記録される。記録された画像は、フリーズされた状態でしばらくＬＣＤモニタ１０２に表示され、ユーザーは撮影画像を知ることができる。以上で一連の撮影動作が完了する。
【００４０】
一方、Ｓ１０２においてデジタルカメラ１０が再生モードであった場合、メインＣＰＵ６２は、メモリ制御部６４を介してメインメモリ６８から最後に撮影した画像を読み出し、これを表示ユニット１００のＬＣＤモニタ１０２へ表示する。この状態でユーザーが機能設定部１１６にて「順送り」、「逆送り」を指示すると、現在表示している画像の前後に撮影された画像が読み出され、ＬＣＤモニタ１０２へ表示される（以上、Ｓ１１４）。
【００４１】
以上、本発明を実施の形態を用いて説明したが、本発明の技術的範囲は上記実施の形態に記載の範囲には限定されない。上記実施の形態に、多様な変更又は改良を加えることができる。その様な変更又は改良を加えた形態も本発明の技術的範囲に含まれ得ることが、特許請求の範囲の記載から明らかである。
【００４２】
【発明の効果】
上記説明から明らかなように、本発明によれば、筐体の前面の強度が高く、筐体の内部に収納された光学系を良好に保護する撮像装置を提供することができる。
【図面の簡単な説明】
【図１】本発明に係る撮像装置の一実施形態であるデジタルカメラ１０の外観を示す図である。
【図２】デジタルカメラ１０の構成を示すブロック図である。
【図３】デジタルカメラ１０の主な動作を示すフローチャートである。
【符号の説明】
１０  デジタルカメラ
２２  光学系
３４  ファインダ
３６  ストロボ
３８  ＬＥＤ
５４  測光センサ
１３２  タッチセンサ
１３８  引き出し部
１５０  筐体
１５２  筐体の前面
１５６，１５８  筐体の側面
【図１】
0003949888.tif 000002
【図２】
0003949888.tif 000003
【図３】
0003949888.tif 000004